(57)【特許請求の範囲】
【請求項１】
原稿データが蓄積される通信端末装置と、
前記通信端末装置に蓄積された原稿データを取得し、取得した原稿データをインターネットを介してクラウドサービスに転送するサーバ装置と、を備え、
前記通信端末装置は、
原稿データが蓄積される原稿蓄積ボックスを有する記憶部と、
前記通信端末装置と前記サーバ装置とが相互に接続されたことを検出する検出部と、
前記検出部により接続が検出された際に、前記原稿蓄積ボックスに関する属性情報を前記サーバ装置に送信する属性情報送信部と、
前記サーバ装置からの指示を受信した際に、前記原稿蓄積ボックスをクラウド転送用ボックスとして設定する設定部と、を有し、
前記サーバ装置は、
前記属性情報送信部より送信された前記属性情報に基づいて、前記通信端末装置に対して前記原稿蓄積ボックスを前記クラウド転送用ボックスとして設定する指示を送信する指示送信部と、
前記クラウド転送用ボックスとして設定された前記原稿蓄積ボックスに蓄積された原稿データを取得し、取得した原稿データをインターネットを介して前記クラウドサービスに転送する転送部と、を有しており、
前記通信端末装置の前記設定部は、前記サーバ装置の前記指示送信部より送信された指示に基づいて、前記原稿蓄積ボックスを前記クラウド転送用ボックスとして設定する
通信システム。
【請求項２】
前記記憶部は、前記原稿蓄積ボックスを複数有しており、
前記属性情報は、前記複数の原稿蓄積ボックスのうち、前記クラウド転送用ボックスとして使用可能であると予め登録された特定の原稿蓄積ボックスに関する情報であり、
前記指示送信部は、前記属性情報送信部より送信された前記属性情報に基づいて、前記通信端末装置に対して前記特定の原稿蓄積ボックスを前記クラウド転送用ボックスとして設定する指示を送信し、
前記通信端末装置の前記設定部は、前記サーバ装置の前記指示送信部より送信された指示に基づいて、前記特定の原稿蓄積ボックスを前記クラウド転送用ボックスとして設定する
請求項１に記載の通信システム。
【請求項３】
前記記憶部は、前記原稿蓄積ボックスを複数有しており、
前記属性情報は、前記複数の原稿蓄積ボックスのうち、原稿データが蓄積されていない空きの原稿蓄積ボックスに関する情報であり、
前記指示送信部は、前記属性情報送信部より送信された前記属性情報に基づいて、前記通信端末装置に対して前記空きの原稿蓄積ボックスを前記クラウド転送用ボックスとして設定する指示を送信し、
前記通信端末装置の前記設定部は、前記サーバ装置の前記指示送信部より送信された指示に基づいて、前記空きの原稿蓄積ボックスを前記クラウド転送用ボックスとして設定する
請求項１に記載の通信システム。
【請求項４】
前記通信端末装置は、さらに、原稿を光学的に読み取ることにより原稿データを生成する読取部を有し、
前記読取部により生成された原稿データは、前記クラウド転送用ボックスとして設定された前記原稿蓄積ボックスに蓄積可能である
請求項１〜３のいずれか１項に記載の通信システム。
【請求項５】
前記通信端末装置は、さらに、外部の通信端末装置からの原稿データをファクシミリ受信するファクシミリ受信部を有し、
前記ファクシミリ受信部により受信された原稿データは、前記クラウド転送用ボックスとして設定された前記原稿蓄積ボックスに蓄積可能である
請求項１〜４のいずれか１項に記載の通信システム。
【請求項６】
前記通信端末装置は、さらに、前記クラウド転送用ボックスとして設定された前記原稿蓄積ボックスに蓄積された原稿データを前記クラウドサービスに転送することを許可する転送許可部を有し、
前記転送許可部が原稿データの転送を許可するときには、前記ファクシミリ受信部により受信された原稿データは、前記クラウド転送用ボックスとして設定された前記原稿蓄積ボックスに蓄積され、
前記転送許可部が原稿データの転送を許可しないときには、前記ファクシミリ受信部により受信された原稿データは、前記クラウド転送用ボックスとして設定された前記原稿蓄積ボックスに蓄積されない
請求項５に記載の通信システム。
【請求項７】
前記サーバ装置は、複数のクラウドサービスに対応しており、
前記サーバ装置は、さらに、前記クラウド転送用ボックスとして設定された前記原稿蓄積ボックスより取得した原稿データの転送先を前記複数のクラウドサービスのうちから選択する選択部を有する
請求項５又は６に記載の通信システム。
【請求項８】
原稿データをインターネットを介してクラウドサービスに転送するためのサーバ装置と接続された通信端末装置であって、
原稿データが蓄積される原稿蓄積ボックスを有する記憶部と、
前記通信端末装置と前記サーバ装置とが相互に接続されたことを検出する検出部と、
前記検出部により接続が検出された際に、前記原稿蓄積ボックスに関する属性情報を前記サーバ装置に送信する属性情報送信部と、
前記原稿蓄積ボックスをクラウド転送用ボックスとして設定する設定部と、を備え、
前記属性情報送信部が前記属性情報を前記サーバ装置に送信することにより、前記サーバ装置から前記設定部に対して、前記原稿蓄積ボックスを前記クラウド転送用ボックスとして設定する指示が送信され、前記設定部は、前記サーバ装置より送信された指示に基づいて、前記原稿蓄積ボックスを前記クラウド転送用ボックスとして設定する
通信端末装置。
【請求項９】
通信端末装置の原稿蓄積ボックスに蓄積された原稿データをインターネットを介してクラウドサービスに転送するサーバ装置であって、
前記サーバ装置と前記通信端末装置とが相互に接続された際に、前記通信端末装置より送信された前記原稿蓄積ボックスに関する属性情報に基づいて、前記通信端末装置に対して前記原稿蓄積ボックスをクラウド転送用ボックスとして設定する指示を送信する指示送信部と、
前記クラウド転送用ボックスとして設定された前記原稿蓄積ボックスに蓄積された原稿データを取得し、取得した原稿データをインターネットを介して前記クラウドサービスに転送する転送部と、を備え、
前記指示送信部が前記通信端末装置に対して指示を送信することにより、前記通信端末装置において、前記原稿蓄積ボックスが前記クラウド転送用ボックスとして設定される
サーバ装置。
【請求項１０】
原稿データが蓄積される原稿蓄積ボックスを有する通信端末装置と、前記原稿蓄積ボックスに蓄積された原稿データを取得し、取得した原稿データをインターネットを介してクラウドサービスに転送するサーバ装置と、を備える通信システムにおけるクラウド転送用ボックスの設定方法であって、
前記通信端末装置において、前記通信端末装置と前記サーバ装置とが相互に接続されたことを検出するステップと、
前記通信端末装置と前記サーバ装置との接続が検出された際に、前記原稿蓄積ボックスに関する属性情報を前記通信端末装置から前記サーバ装置に送信するステップと、
送信された前記属性情報に基づいて、前記原稿蓄積ボックスを前記クラウド転送用ボックスとして設定する指示を前記サーバ装置から前記通信端末装置に送信するステップと、
送信された前記指示に基づいて、前記通信端末装置において前記原稿蓄積ボックスを前記クラウド転送用ボックスとして設定するステップと、を含む
クラウド転送用ボックスの設定方法。
【発明の詳細な説明】
【技術分野】
【０００１】
本発明は、蓄積された原稿データをインターネットを介してクラウドサービスに転送する通信システム並びにこれに用いられる通信端末装置及びサーバ装置に関する。また、本発明は、通信端末装置とサーバ装置とが相互に接続された際に、通信端末装置の原稿蓄積ボックスをクラウド転送用ボックスとして設定するクラウド転送用ボックスの設定方法に関する。
【背景技術】
【０００２】
近年、インターネットを利用してコンピュータ資源を提供する新しいサービス形態として、クラウドコンピューティングサービス（以下、「クラウドサービス」という）が注目されている。このクラウドサービスを利用することにより、ユーザは、インターネットを通じて提供されるサービス及びストレージ等のコンピュータ資源を、その所在を意識することなく利用することができる。
【０００３】
クラウドサービスを利用するためには、まず、ユーザは、クラウドサービス用のサーバ装置にＵＳＢ機器（例えば、スキャナ及びＵＳＢメモリ等）を接続する。次いで、ユーザは、パーソナルコンピュータ等を用いて、クラウドサービスによって提供されるウェブページにアクセスし、クラウドサービスを利用するための各種設定等を行う。これによりクラウドサービスの利用が可能になり、ユーザが例えばスキャナで原稿をスキャンすることにより、スキャンされた原稿データは、サーバ装置によってインターネットを介してクラウドサービスに転送される。このようにクラウドサービスに転送された原稿データは、携帯電話及びパーソナルコンピュータ等を用いることにより、いつでも閲覧することができる。
【０００４】
このようなクラウドサービス用のサーバ装置に接続されるＵＳＢ機器として、上述したスキャナ及びＵＳＢメモリ以外に、例えば特許文献１に開示されている通信端末装置としての複合機（ＭＦＰ：Ｍｕｌｔｉ  Ｆｕｎｃｔｉｏｎ  Ｐｅｒｉｐｈｅｒａｌｓ）を用いることが考えられる。
【先行技術文献】
【特許文献】
【０００５】
【特許文献１】特開２００９−１８９０２８号公報
【発明の概要】
【発明が解決しようとする課題】
【０００６】
しかしながら、上述した従来の複合機をクラウドサービス用のサーバ装置と接続する際には、ユーザは、例えばパーソナルコンピュータ等を用いて、クラウドサービスによって提供されるウェブページにアクセスし、クラウドサービスを利用するための各種設定等を行う必要がある。そのため、ユーザは、クラウドサービス用のサーバ装置と複合機とを接続する度に、上述した煩雑な設定作業を行わなければならず、利便性が著しく低下する。
【０００７】
本発明は、このような問題に鑑みてなされたものであり、通信端末装置とサーバ装置とを相互に接続する際の設定を容易に行うことができる通信システム、通信端末装置、サーバ装置及びクラウド転送用ボックスの設定方法を提供することを目的とする。
【課題を解決するための手段】
【０００８】
上記目的を達成するために、本発明の一態様に係る通信システムは、原稿データが蓄積される通信端末装置と、前記通信端末装置に蓄積された原稿データを取得し、取得した原稿データをインターネットを介してクラウドサービスに転送するサーバ装置と、を備え、前記通信端末装置は、原稿データが蓄積される原稿蓄積ボックスを有する記憶部と、前記通信端末装置と前記サーバ装置とが相互に接続されたことを検出する検出部と、前記検出部により接続が検出された際に、前記原稿蓄積ボックスに関する属性情報を前記サーバ装置に送信する属性情報送信部と、前記サーバ装置からの指示を受信した際に、前記原稿蓄積ボックスをクラウド転送用ボックスとして設定する設定部と、を有し、前記サーバ装置は、前記属性情報送信部より送信された前記属性情報に基づいて、前記通信端末装置に対して前記原稿蓄積ボックスを前記クラウド転送用ボックスとして設定する指示を送信する指示送信部と、前記クラウド転送用ボックスとして設定された前記原稿蓄積ボックスに蓄積された原稿データを取得し、取得した原稿データをインターネットを介して前記クラウドサービスに転送する転送部と、を有しており、前記通信端末装置の前記設定部は、前記サーバ装置の前記指示送信部より送信された指示に基づいて、前記原稿蓄積ボックスを前記クラウド転送用ボックスとして設定する。
【０００９】
この構成によれば、通信端末装置とサーバ装置とが相互に接続された際に、原稿蓄積ボックスがクラウド転送用ボックスとして自動的に設定されるので、ユーザが煩雑な設定作業を行う必要がなく、利便性を高めることができる。また、通信端末装置に搭載された既存の原稿蓄積ボックスをクラウド転送用ボックスとして利用することができ、原稿蓄積ボックスの汎用性を高めることができる。
【００１０】
また、前記記憶部は、前記原稿蓄積ボックスを複数有しており、前記属性情報は、前記複数の原稿蓄積ボックスのうち、前記クラウド転送用ボックスとして使用可能であると予め登録された特定の原稿蓄積ボックスに関する情報であり、前記指示送信部は、前記属性情報送信部より送信された前記属性情報に基づいて、前記通信端末装置に対して前記特定の原稿蓄積ボックスを前記クラウド転送用ボックスとして設定する指示を送信し、前記通信端末装置の前記設定部は、前記サーバ装置の前記指示送信部より送信された指示に基づいて、前記特定の原稿蓄積ボックスを前記クラウド転送用ボックスとして設定することが好ましい。
【００１１】
この構成によれば、複数の原稿蓄積ボックスのうち、クラウド転送用ボックスとして使用可能であると予め登録された特定の原稿蓄積ボックスを、クラウド設定用ボックスとして設定することができる。
【００１２】
また、前記記憶部は、前記原稿蓄積ボックスを複数有しており、前記属性情報は、前記複数の原稿蓄積ボックスのうち、原稿データが蓄積されていない空きの原稿蓄積ボックスに関する情報であり、前記指示送信部は、前記属性情報送信部より送信された前記属性情報に基づいて、前記通信端末装置に対して前記空きの原稿蓄積ボックスを前記クラウド転送用ボックスとして設定する指示を送信し、前記通信端末装置の前記設定部は、前記サーバ装置の前記指示送信部より送信された指示に基づいて、前記空きの原稿蓄積ボックスを前記クラウド転送用ボックスとして設定することが好ましい。
【００１３】
この構成によれば、複数の原稿蓄積ボックスのうち、原稿データが蓄積されていない空きの原稿蓄積ボックスを、クラウド転送用ボックスとして設定することができる。
【００１４】
また、前記通信端末装置は、さらに、原稿を光学的に読み取ることにより原稿データを生成する読取部を有し、前記読取部により生成された原稿データは、前記クラウド転送用ボックスとして設定された前記原稿蓄積ボックスに蓄積可能であることが好ましい。
【００１５】
この構成によれば、読取部により生成された原稿データを、クラウド転送用ボックスとして設定された原稿蓄積ボックスに蓄積することができる。
【００１６】
また、前記通信端末装置は、さらに、外部の通信端末装置からの原稿データをファクシミリ受信するファクシミリ受信部を有し、前記ファクシミリ受信部により受信された原稿データは、前記クラウド転送用ボックスとして設定された前記原稿蓄積ボックスに蓄積可能であることが好ましい。
【００１７】
この構成によれば、ファクシミリ受信部により受信された原稿データを、クラウド転送用ボックスとして設定された原稿蓄積ボックスに蓄積することができる。
【００１８】
また、前記通信端末装置は、さらに、前記クラウド転送用ボックスとして設定された前記原稿蓄積ボックスに蓄積された原稿データを前記クラウドサービスに転送することを許可する転送許可部を有し、前記転送許可部が原稿データの転送を許可するときには、前記ファクシミリ受信部により受信された原稿データは、前記クラウド転送用ボックスとして設定された前記原稿蓄積ボックスに蓄積され、前記転送許可部が原稿データの転送を許可しないときには、前記ファクシミリ受信部により受信された原稿データは、前記クラウド転送用ボックスとして設定された前記原稿蓄積ボックスに蓄積されないことが好ましい。
【００１９】
この構成によれば、必要に応じて、クラウド転送用ボックスとして設定された原稿蓄積ボックスに蓄積された原稿データがクラウドサービスに転送されることを許可する又は許可しないように設定することができる。
【００２０】
また、前記サーバ装置は、複数のクラウドサービスに対応しており、前記サーバ装置は、さらに、前記クラウド転送用ボックスとして設定された前記原稿蓄積ボックスより取得した原稿データの転送先を前記複数のクラウドサービスのうちから選択する選択部を有することが好ましい。
【００２１】
この構成によれば、選択部によって、クラウド転送用ボックスとして設定された原稿蓄積ボックスより取得した原稿データの転送先を複数のクラウドサービスのうちから選択することができる。
【００２２】
また、本発明の一態様に係る通信端末装置は、原稿データをインターネットを介してクラウドサービスに転送するためのサーバ装置と接続された通信端末装置であって、原稿データが蓄積される原稿蓄積ボックスを有する記憶部と、前記通信端末装置と前記サーバ装置とが相互に接続されたことを検出する検出部と、前記検出部により接続が検出された際に、前記原稿蓄積ボックスに関する属性情報を前記サーバ装置に送信する属性情報送信部と、前記原稿蓄積ボックスをクラウド転送用ボックスとして設定する設定部と、を備え、前記属性情報送信部が前記属性情報を前記サーバ装置に送信することにより、前記サーバ装置から前記設定部に対して、前記原稿蓄積ボックスを前記クラウド転送用ボックスとして設定する指示が送信され、前記設定部は、前記サーバ装置より送信された指示に基づいて、前記原稿蓄積ボックスを前記クラウド転送用ボックスとして設定する。
【００２３】
この構成によれば、通信端末装置とサーバ装置とが相互に接続された際に、原稿蓄積ボックスがクラウド転送用ボックスとして自動的に設定されるので、ユーザが煩雑な設定作業を行う必要がなく、利便性を高めることができる。また、通信端末装置に搭載された既存の原稿蓄積ボックスをクラウド転送用ボックスとして利用することができ、原稿蓄積ボックスの汎用性を高めることができる。
【００２４】
また、本発明の一態様に係るサーバ装置は、通信端末装置の原稿蓄積ボックスに蓄積された原稿データをインターネットを介してクラウドサービスに転送するサーバ装置であって、前記サーバ装置と前記通信端末装置とが相互に接続された際に、前記通信端末装置より送信された前記原稿蓄積ボックスに関する前記属性情報に基づいて、前記通信端末装置に対して前記原稿蓄積ボックスを前記クラウド転送用ボックスとして設定する指示を送信する指示送信部と、前記クラウド転送用ボックスとして設定された前記原稿蓄積ボックスに蓄積された原稿データを取得し、取得した原稿データをインターネットを介して前記クラウドサービスに転送する転送部と、を備え、前記指示送信部が前記通信端末装置に対して指示を送信することにより、前記通信端末装置において、前記原稿蓄積ボックスが前記クラウド転送用ボックスとして設定される。
【００２５】
この構成によれば、通信端末装置とサーバ装置とが相互に接続された際に、原稿蓄積ボックスがクラウド転送用ボックスとして自動的に設定されるので、ユーザが煩雑な設定作業を行う必要がなく、利便性を高めることができる。
【００２６】
また、本発明の一態様に係るクラウド転送用ボックスの設定方法は、原稿データが蓄積される原稿蓄積ボックスを有する通信端末装置と、前記原稿蓄積ボックスに蓄積された原稿データを取得し、取得した原稿データをインターネットを介してクラウドサービスに転送するサーバ装置と、を備える通信システムにおけるクラウド転送用ボックスの設定方法であって、前記通信端末装置において、前記通信端末装置と前記サーバ装置とが相互に接続されたことを検出するステップと、前記通信端末装置と前記サーバ装置との接続が検出された際に、前記原稿蓄積ボックスに関する属性情報を前記通信端末装置から前記サーバ装置に送信するステップと、送信された前記属性情報に基づいて、前記原稿蓄積ボックスを前記クラウド転送用ボックスとして設定する指示を前記サーバ装置から前記通信端末装置に送信するステップと、送信された前記指示に基づいて、前記通信端末装置において前記原稿蓄積ボックスを前記クラウド転送用ボックスとして設定するステップと、を含む。
【００２７】
この構成によれば、通信端末装置とサーバ装置とが相互に接続された際に、原稿蓄積ボックスがクラウド転送用ボックスとして自動的に設定されるので、ユーザが煩雑な設定作業を行う必要がなく、利便性を高めることができる。また、通信端末装置に搭載された既存の原稿蓄積ボックスをクラウド転送用ボックスとして利用することができ、原稿蓄積ボックスの汎用性を高めることができる。
【発明の効果】
【００２８】
本発明によれば、通信端末装置とサーバ装置とが相互に接続された際に、原稿蓄積ボックスがクラウド転送用ボックスとして自動的に設定されるので、ユーザが煩雑な設定作業を行う必要がなく、利便性を高めることができる。また、通信端末装置に搭載された既存の原稿蓄積ボックスをクラウド転送用ボックスとして利用することができ、原稿蓄積ボックスの汎用性を高めることができる。
【図面の簡単な説明】
【００２９】
【図１】本発明の実施の形態１に係る通信システムの構成を示す概念図である。
【図２】図１の通信端末装置のハードウェア構成を示す図である。
【図３】図１の通信端末装置及びサーバ装置の特徴的な機能構成を示すブロック図である。
【図４】ボックス名の変更前における、原稿蓄積ボックスのボックス番号、ボックス名及び属性情報を示す図である。
【図５】図１の通信システムにおける、クラウド転送用ボックスの設定の流れを示すシーケンス図である。
【図６】ボックス名の変更後における、原稿蓄積ボックスのボックス番号、ボックス名及び属性情報を示す図である。
【図７】原稿をスキャナで読み取ることにより生成された原稿データを、クラウドサービスに転送する流れを示すシーケンス図である。
【図８】操作パネルに表示された原稿蓄積ボックスの選択画面を示す図である。
【図９】本発明の実施の形態２に係る通信システムの構成を示す概念図である。
【図１０】図９の通信端末装置及びサーバ装置の特徴的な機能構成を示すブロック図である。
【図１１】ボックス名の変更前における、原稿蓄積ボックスのボックス番号、ボックス名及び属性情報を示す図である。
【図１２】ボックス名の変更後における、原稿蓄積ボックスのボックス番号、ボックス名及び属性情報を示す図である。
【図１３】操作パネルに表示された原稿蓄積ボックスの選択画面を示す図である。
【発明を実施するための形態】
【００３０】
以下、本発明に係る通信システム、通信端末装置、サーバ装置及びクラウド転送用ボックスの設定方法の各種実施の形態について、図面を用いて詳細に説明する。以下の実施の形態で示される数値、形状、材料、構成要素、構成要素の配置位置、ステップ及びステップの順序等は、一例であり、本発明を限定する主旨ではない。本発明は、特許請求の範囲のみによって限定される。よって、以下の実施の形態における構成要素のうち、本発明の最上位概念を示す独立請求項に記載されていない構成要素については、本発明の目的を達成するのに必ずしも必要ではないが、より好ましい形態を構成するものとして説明される。
【００３１】
［実施の形態１］
図１は、本実施の形態に係る通信システム１の構成を示す概念図である。図示の通信システム１では、例えばオフィス２内に構築されたＬＡＮ３（Ｌｏｃａｌ  Ａｒｅａ  Ｎｅｔｗｏｒｋ）を介して、通信端末装置４、サーバ装置５、ルータ６及びパーソナルコンピュータ７が相互に接続されている。
【００３２】
通信端末装置４は、本実施の形態では複合機で構成されている。この通信端末装置４は、ＰＳＴＮ８（Ｐｕｂｌｉｃ Ｓｗｉｔｃｈｅｄ ＴｅｌｅｐｈｏｎｅＮｅｔｗｏｒｋｓ：公衆電話交換回線網）を介して、ファクシミリ送受信の相手先となる外部の相手通信端末装置９に接続されている。
【００３３】
サーバ装置５は、クラウドサービス１０に対応しており、ルータ６及びインターネット１１を介してクラウドサービス１０に接続されている。通信端末装置４とサーバ装置５とは、例えばＵＳＢケーブル１２（図３参照）を介して相互に接続されている。
【００３４】
クラウドサービス１０には、サービスサーバ１３が含まれている。このサービスサーバ１３には、後述するようにクラウドサービス１０に転送（アップロード）された原稿データ等が記憶される。なお、クラウドサービス１０には多数のサーバ等が含まれるが、説明の便宜上、図１では１台のサービスサーバ１３のみを図示している。
【００３５】
図２は、通信端末装置４のハードウェア構成を示す図である。通信端末装置４は、ハードウェア構成として、ＣＰＵ（Ｃｅｎｔｒａｌ  Ｐｒｏｃｅｓｓｉｎｇ  Ｕｎｉｔ）１４、ＲＯＭ（Ｒｅａｄ  Ｏｎｌｙ  Ｍｅｍｏｒｙ）１５、ＲＡＭ（Ｒａｎｄｏｍ  Ａｃｃｅｓｓ  Ｍｅｍｏｒｙ）１６、モデム１７、ＮＣＵ（Ｎｅｔｗｏｒｋ  Ｃｏｎｔｒｏｌ  Ｕｎｉｔ）１８、操作パネル１９、ディスプレイ２０、スキャナ２１、プリンタ２２、ＬＡＮＩ／Ｆ（Ｌｏｃａｌ  Ａｒｅａ  Ｎｅｔｗｏｒｋ  ＩｎｔｅｒＦａｃｅ）２３及びＵＳＢＩ／Ｆ（Ｕｎｉｖｅｒｓａｌ  Ｓｅｒｉａｌ  Ｂｕｓ  ＩｎｔｅｒＦａｃｅ）２４を備えている。
【００３６】
ＣＰＵ１４は、ＲＯＭ１５に格納された制御プログラム２５を実行するプロセッサである。
【００３７】
ＲＯＭ１５は、制御プログラム２５等を保持する読み出し専用メモリである。
【００３８】
ＲＡＭ１６は、ＣＰＵ１４が制御プログラム２５を実行するときに使用するワークエリアであり、スキャナ２１により読み込まれた原稿データ等を一時的に保持する揮発性の記憶領域等を有する読み書き可能なメモリである。
【００３９】
モデム１７は、外部の相手通信端末装置９に対してファクシミリ送信される原稿データを変調する、或いは、外部の相手通信端末装置９からファクシミリ送信されてきた原稿データを復調するファックスモデムである。
【００４０】
ＮＣＵ１８は、ＰＳＴＮ８と接続される回線終端装置である。
【００４１】
操作パネル１９は、ユーザによる操作、例えば、通信端末装置４の電源をオン、オフする旨の指示及びスキャナ２１により原稿等の読み取りを開始する旨の指示等を受け付けるパネルである。
【００４２】
ディスプレイ２０は、液晶表示装置（ＬＣＤ：Ｌｉｑｕｉｄ  Ｃｒｙｓｔａｌ  Ｄｉｓｐｌａｙ）等で構成される。このディスプレイ２０には、後述する原稿蓄積ボックスの一覧等が表示される。
【００４３】
スキャナ２１は、原稿の内容をＣＣＤ（Ｃｈａｒｇｅ  Ｃｏｕｐｌｅｄ  Ｄｅｖｉｃｅ）等で光学的に読み取る（スキャンする）ことにより、原稿データを生成する。スキャナ２１により読み取られた原稿等は、例えば、モデム１７によりファクシミリ送信される、或いは、プリンタ２２にてプリント出力される。
【００４４】
プリンタ２２は、例えばスキャナ２１で読み取られた原稿等、或いは、相手通信端末装置９からＰＳＴＮ８、ＮＣＵ１８及びモデム１７を介して受信した原稿データをプリント出力する。
【００４５】
ＬＡＮＩ／Ｆ２３は、通信端末装置４とＬＡＮ３とを相互に接続するための通信アダプタである。
【００４６】
ＵＳＢＩ／Ｆ２４は、通信端末装置４とＵＳＢ機器（本実施形態ではサーバ装置５）とを相互に接続するための通信アダプタである。
【００４７】
図３は、本実施の形態に係る通信端末装置４及びサーバ装置５の特徴的な機能構成を示すブロック図である。なお、図３に図示された通信端末装置４では、図２に示されるハードウェア構成によって発揮される通信端末装置４の機能構成のうち、本発明に関連する機能構成のみが抽出されている。
【００４８】
まず、通信端末装置４の機能構成について説明する。通信端末装置４は、機能的には、ＵＳＢインターフェース部２５、記憶部２６及び制御部２７を備えている。
【００４９】
ＵＳＢインターフェース部２５は、例えば図２におけるＵＳＢＩ／Ｆ２４によって実現される。このＵＳＢインターフェース部２５には、ＵＳＢケーブル１２の一端部が着脱自在に接続される。
【００５０】
記憶部２６は、原稿データを蓄積するための複数個（本実施の形態では３０個）の原稿蓄積ボックスを有している。この記憶部２６は、例えば図２におけるＲＡＭ１６によって実現される。また、記憶部２６には、図４に示すように、３０個の原稿蓄積ボックスの各々について予め設定されたボックス番号、ボックス名及び属性情報が記憶されている。例えば、ボックス番号「１」の原稿蓄積ボックスのボックス名は「ＢＯＸ１」であり、属性情報は「ボックス名変更不可」である。ボックス番号「２９」の原稿蓄積ボックスのボックス名は「ＢＯＸ２９」であり、属性情報は「クラウド転送用ボックスとして設定可能（ファクシミリ受信）」である。ボックス番号「３０」の原稿蓄積ボックスのボックス名は「ＢＯＸ３０」であり、属性情報は「クラウド転送用ボックスとして設定可能（スキャン）」である。
【００５１】
属性情報とは、原稿蓄積ボックスの属性に関する情報である。例えば、ボックス番号「１」の原稿蓄積ボックスの属性情報は、ボックス名の変更ができないように設定されていることを表す情報である。ボックス番号「２９」の原稿蓄積ボックスの属性情報は、ファクシミリ受信された原稿データを蓄積するためのクラウド転送用ボックスとして設定可能であることを表す情報である。ボックス番号「３０」の原稿蓄積ボックスの属性情報は、スキャナ２１により生成された原稿データを蓄積するためのクラウド転送用ボックスとして設定可能であることを表す情報である。即ち、３０個の原稿蓄積ボックスのうち、ボックス番号「２９」及び「３０」の原稿蓄積ボックスが、クラウド転送用ボックスとして設定可能であると予め登録されている。
【００５２】
後述するように、ボックス番号「２９」及び「３０」の原稿蓄積ボックスがクラウド転送用ボックスとして設定された際には、これらの原稿蓄積ボックスに蓄積された原稿データは、サーバ装置５によってクラウドサービス１０に転送される。なお、上述した原稿蓄積ボックスの属性情報は、例えばパーソナルコンピュータ７を用いて、通信端末装置４によって提供されるウェブページ上で設定することができる。
【００５３】
制御部２７は、読取部２８、ファクシミリ受信部２９、検出部３０、属性情報送信部３１、指示受信部３２、設定部３３及び転送許可部３４を備えている。この制御部２７は、例えば図２における制御プログラム２５によって実現される。
【００５４】
読取部２８は、イメージセンサ等で構成され、原稿を光学的に読み取ることにより原稿データを生成する。読取部２８により生成された原稿データは、３０個の原稿蓄積ボックスのうちいずれかに蓄積される。この読取部２８は、例えば図２におけるスキャナ２１によって実現される。
【００５５】
ファクシミリ受信部２９は、外部の相手通信端末装置９からファクシミリ送信された原稿データを受信する。このファクシミリ受信部２９は、例えば図２におけるモデム１７によって実現される。
【００５６】
検出部３０は、通信端末装置４とサーバ装置５とが相互に接続されたことを検出する。具体的には、通信端末装置４のＵＳＢインターフェース部３５とサーバ装置５のＵＳＢインターフェース３５（後述する）とがＵＳＢケーブル１２を介して相互に接続された状態で、通信端末装置４の電源をオンにしたときに、検出部３０は接続を検出する。或いは、通信端末装置４の電源がオンの状態で、通信端末装置４のＵＳＢインターフェース部２５とサーバ装置５のＵＳＢインターフェース部３５とをＵＳＢケーブル１２を介して相互に接続したときに、検出部３０は接続を検出する。
【００５７】
属性情報送信部３１は、検出部３０により通信端末装置４とサーバ装置５との接続が検出されたことを受けて、記憶部２６に記憶された３０個の原稿蓄積ボックスの各々の属性情報（ボックス番号及びボックス名の情報を含む）をサーバ装置５に送信する。
【００５８】
指示受信部３２は、サーバ装置５の指示送信部３９（後述する）から送信された指示を受信する。
【００５９】
設定部３３は、指示受信部３２により受信した指示に基づいて、３０個の原稿蓄積ボックスのうち特定の原稿蓄積ボックスをクラウド転送用ボックスとして設定するとともに、上記特定の原稿蓄積ボックスのボックス名を変更する。
【００６０】
転送許可部３４は、ファクシミリ受信用のクラウド転送用ボックスとして設定された原稿蓄積ボックスに蓄積された原稿データをクラウドサービス１０に転送することについての許可を行う。転送許可部３４が原稿データの転送を許可するときには、ファクシミリ受信部２９により受信された原稿データは、ファクシミリ受信用のクラウド転送用ボックスとして設定された原稿蓄積ボックスに蓄積される。転送許可部３４が原稿データの転送を許可しないときには、ファクシミリ受信部２９により受信された原稿データは、ファクシミリ受信用のクラウド転送用ボックスとして設定された原稿蓄積ボックスに蓄積されない。この場合には、原稿データは、通常のファクシミリ受信用の原稿蓄積ボックスに蓄積される。なお、転送許可部３４による原稿データの転送の許可及び不許可は、ユーザが操作パネル１９を操作することにより切り替えることができる。
【００６１】
次に、サーバ装置５の機能構成について説明する。サーバ装置５は、ＵＳＢインターフェース部３５及び制御部３６を備えている。
【００６２】
ＵＳＢインターフェース部３５には、ＵＳＢケーブル１２の他端部が着脱自在に接続される。これにより、通信端末装置４のＵＳＢインターフェース部２５とサーバ装置５のＵＳＢインターフェース部３５とがＵＳＢケーブル１２を介して相互に接続される。
【００６３】
制御部３６は、検出部３７、属性情報受信部３８、指示送信部３９及び転送部４０を備えている。
【００６４】
検出部３７は、上述した通信端末装置４の検出部３０と同様に、通信端末装置４とサーバ装置５とが相互に接続されたことを検出する。
【００６５】
属性情報受信部３８は、通信端末装置４の属性情報送信部３１より送信された、３０個の原稿蓄積ボックスの各々の属性情報を受信する。
【００６６】
指示送信部３９は、属性情報受信部３８により受信された属性情報に基づき、３０個の原稿蓄積ボックスのうち特定の原稿蓄積ボックスをクラウド転送用ボックスとして設定する旨の指示を通信端末装置４に送信する。同時に、指示送信部３９は、属性情報受信部３８により受信された属性情報に基づき、上記特定の原稿蓄積ボックスのボックス名を変更する旨の指示を通信端末装置４に送信する。
【００６７】
転送部４０は、クラウド転送用ボックスとして設定された原稿蓄積ボックスに原稿データが蓄積されているかを定期的に（例えば、１０分毎に）チェックする。原稿データが蓄積されている場合には、原稿蓄積ボックスに蓄積された原稿データを取得し、取得した原稿データを、インターネット１１を介してクラウドサービス１０に転送（アップロード）する。
【００６８】
次に、図５を用いて、本実施の形態の通信システム１におけるクラウド転送用ボックスの設定方法について説明する。図５は、本実施の形態の通信システム１におけるクラウド転送用ボックスの設定の流れを示すシーケンス図である。
【００６９】
まず、通信端末装置４のＵＳＢインターフェース部２５とサーバ装置５のＵＳＢインターフェース部３５とがＵＳＢケーブル１２を介して相互に接続された状態で、ユーザは、通信端末装置４の操作パネル１９を操作して通信端末装置４の電源をオンにする。これにより、通信端末装置４の検出部２８及びサーバ装置５の検出部３７はそれぞれ、通信端末装置４とサーバ装置５とが相互に接続されたことを検出する（Ｓ１１，Ｓ１２）。なお、通信端末装置４の電源がオンの状態で、ユーザが通信端末装置４のＵＳＢインターフェース部２５とサーバ装置５のＵＳＢインターフェース部３５とをＵＳＢケーブル１２を介して相互に接続してもよい。
【００７０】
通信端末装置４の属性情報送信部３１は、検出部３０により通信端末装置４とサーバ装置５との接続が検出されたことを受けて、３０個の原稿蓄積ボックスの各々の属性情報をサーバ装置５に送信する（Ｓ１３）。この属性情報は、サーバ装置５の属性情報受信部３８によって受信される（Ｓ１４）。
【００７１】
サーバ装置５の指示送信部３９は、属性情報受信部３８により受信された属性情報に基づき、３０個の原稿蓄積ボックスのうち、クラウド転送用ボックスとして設定すべき原稿蓄積ボックスを決定する（Ｓ１５）。具体的には、指示送信部３９は、３０個の原稿蓄積ボックスのうち、「クラウド転送用ボックスとして設定可能（ファクシミリ受信）」という属性情報を有する、ボックス番号「２９」の原稿蓄積ボックスをファクシミリ受信用のクラウド転送用ボックスとして決定する。また、指示送信部３９は、３０個の原稿蓄積ボックスのうち、「クラウド転送用ボックスとして設定可能（スキャン）」という属性情報を有する、ボックス番号「３０」の原稿蓄積ボックスをスキャン用のクラウド転送用ボックスとして決定する。
【００７２】
その後、指示送信部３９は、ボックス番号「２９」及び「３０」の原稿蓄積ボックスをそれぞれクラウド転送用ボックスとして設定する旨の指示を通信端末装置４に送信する（Ｓ１６）。同時に、指示送信部３９は、ボックス番号「２９」の原稿蓄積ボックスのボックス名を「ＢＯＸ２９」から「ＲＸ（Ｃｌｏｕｄ  Ｓｅｒｖｉｃｅ）」に変更し、ボックス番号「３０」の原稿蓄積ボックスのボックス名を「ＢＯＸ３０」から「ＳＣＡＮ（Ｃｌｏｕｄ  Ｓｅｒｖｉｃｅ）」に変更する旨の指示を通信端末装置４に送信する（Ｓ１６）。
【００７３】
指示送信部３９より送信された指示は、通信端末装置４の指示受信部３２により受信される（Ｓ１７）。設定部３３は、指示受信部３２により受信された指示に基づき、ボックス番号「２９」及び「３０」の原稿蓄積ボックスをそれぞれファクシミリ受信用及びスキャン用のクラウド転送用ボックスとして設定する（Ｓ１８）。同時に、設定部３３は、ボックス番号「２９」の原稿蓄積ボックスのボックス名を「ＢＯＸ２９」から「ＲＸ（Ｃｌｏｕｄ  Ｓｅｒｖｉｃｅ）」に変更し、ボックス番号「３０」の原稿蓄積ボックスのボックス名を「ＢＯＸ３０」から「ＳＣＡＮ（Ｃｌｏｕｄ  Ｓｅｒｖｉｃｅ）」に変更する（Ｓ１８）。ボックス番号「２９」及び「３０」の原稿蓄積ボックスのボックス名は、図６に示すように変更される。
【００７４】
次に、図７を用いて、スキャナ２１により生成された原稿データをクラウドサービス１０に転送する流れについて説明する。図７は、原稿をスキャナ２１で読み取ることにより生成された原稿データを、クラウドサービス１０に転送する流れを示すシーケンス図である。
【００７５】
まず、ユーザは、図８に示すように、操作パネル１９を操作して、スキャン用のクラウド転送用ボックスとして設定されたボックス番号「３０」の原稿蓄積ボックスを選択した後に（Ｓ３１）、スキャナ２１（読取部２８）に原稿を読み取らせる（Ｓ３２）。なお、スキャンモードにおいては、操作パネル１９において、ファクシミリ受信用のクラウド転送用ボックスとして設定されたボックス番号「２９」の原稿蓄積ボックスをグレーアウト表示させ、原稿をスキャンする際にこの原稿蓄積ボックスの選択を受け付けないようにすることが好ましい。スキャナ２１により生成された原稿データは、選択されたボックス番号「３０」の原稿蓄積ボックスに蓄積される（Ｓ３３）。
【００７６】
サーバ装置５の転送部３３は、スキャン用のクラウド転送用ボックスとして設定されたボックス番号「３０」の原稿蓄積ボックスを定期的にチェックする（Ｓ３４）。この原稿蓄積ボックスに原稿データが蓄積されている場合には、蓄積された原稿データが通信端末装置４からサーバ装置５に送信されることにより（Ｓ３５）、転送部３３は、蓄積された原稿データを取得する（Ｓ３６）。原稿データが取得された際には、ボックス番号「３０」の原稿蓄積ボックスに蓄積されていた原稿データは自動的に削除される（Ｓ３７）。その後、転送部３３は、取得した原稿データをルータ６及びインターネット１１を介してクラウドサービス１０に転送する（Ｓ３８）。転送された原稿データは、クラウドサービス１０のサービスサーバ１３に記憶される（Ｓ３９）。
【００７７】
なお、スキャナ２１により読み取られた原稿データをクラウドサービス１０に転送しないときには、ユーザは次のような操作を行えばよい。即ち、ユーザは、操作パネル１９を操作して、ボックス番号「２９」及び「３０」以外の原稿蓄積ボックス、即ち、ボックス番号「１」〜「２８」の原稿蓄積ボックスのいずれかを選択する。その後、スキャナ２１に原稿を読み取らせることにより、原稿データは、選択されたボックス番号「１」〜「２８」の原稿蓄積ボックスのいずれかに蓄積され、例えばＬＡＮ３を介してパーソナルコンピュータ７に転送される。
【００７８】
また、ファクシミリ受信した原稿データをクラウドサービス１０に転送する流れについて説明する。まず、ユーザは、操作パネル１９を操作することにより、通信端末装置４の転送許可部３４が原稿データの転送を許可するように設定する。相手通信端末装置９からの原稿が通信端末装置４のファクシミリ受信部２９にてファクシミリ受信された際には、ファクシミリ受信された原稿データは、ファクシミリ受信用のクラウド転送用ボックスとして設定されたボックス番号「２９」の原稿蓄積用ボックスに蓄積される。その後、上述したＳ３４〜Ｓ３９と同様の処理が行われる。これにより、上述と同様にして、ボックス番号「２９」の原稿蓄積ボックスに蓄積された原稿データは、ルータ６及びインターネット１１を介してクラウドサービス１０に転送される。
【００７９】
なお、転送許可部３４が原稿データの転送を許可しないように設定されている場合には、ファクシミリ受信された原稿データは、ボックス番号「２９」の原稿蓄積ボックスには蓄積されない。この場合、原稿データは、通常のファクシミリ受信用の原稿蓄積ボックス、例えば、ボックス番号「１０」の原稿蓄積ボックスに蓄積される。例えば、ボックス番号「１０」の原稿蓄積ボックスに蓄積された原稿データは、プリンタ２２によりプリント出力される。
【００８０】
このように原稿データがクラウドサービス１０に転送されることにより、例えばパーソナルコンピュータ７又は携帯端末装置４１（図１参照）を用いて、原稿データをインターネット１１を介して閲覧することができる。
【００８１】
以上説明したように、本実施の形態では、通信端末装置４とサーバ装置５とが相互に接続された際に、原稿蓄積ボックスがクラウド転送用ボックスとして自動的に設定されるので、ユーザが煩雑な設定作業を行う必要がなく、利便性を高めることができる。また、通信端末装置４に搭載された既存の原稿蓄積ボックスをクラウド転送用ボックスとして利用することができ、原稿蓄積ボックスの汎用性を高めることができる。
【００８２】
なお、原稿データが画像データである場合には、クラウドサービス１０に転送される画像データの形式は、サーバ装置５にて設定することができる。また、クラウドサービス１０への原稿データの転送が完了した際に、サーバ装置５から通信端末装置４等に対して転送完了の通知がされるように設定することもできる。
【００８３】
［実施の形態２］
図９は、本実施の形態に係る通信システム１’の構成を示す概念図である。本実施の形態では、サーバ装置５’は、２つのクラウドサービス、即ち、第１のクラウドサービス１０ａ及び第２のクラウドサービス１０ｂに対応している。第１のクラウドサービス１０ａ及び第２のクラウドサービス１０ｂにはそれぞれ、第１のサービスサーバ１３ａ及び第２のサービスサーバ１３ｂが含まれている。
【００８４】
図１０は、本実施の形態に係る通信端末装置４’及びサーバ装置５’の特徴的な機能構成を示すブロック図である。本実施の形態では、サーバ装置５’はさらに、選択部５０を備えている。この選択部５０は、ファクシミリ受信用のクラウド転送用ボックスとして設定された原稿蓄積ボックスより取得された原稿データの転送先を、第１のクラウドサービス１０ａ及び第２のクラウドサービス１０ｂのうちから選択する。選択部５０により原稿データの転送先として第１のクラウドサービス１０ａが選択されたときには、転送部４０’は、ファクシミリ受信された原稿データを第１のクラウドサービス１０ａに転送する。また、選択部５０により原稿データの転送先として第２のクラウドサービス１０ｂが選択されたときには、転送部４０’は、ファクシミリ受信された原稿データを第２のクラウドサービス１０ｂに転送する。
【００８５】
通信端末装置４’の記憶部２６’は、原稿データを蓄積するための複数個（本実施の形態では３０個）の原稿蓄積ボックスを有している。また、記憶部２６’には、図１１に示すように、３０個の原稿蓄積ボックスの各々について予め設定されたボックス番号、ボックス名及び属性情報が記憶されている。例えば、ボックス番号「１」の原稿蓄積ボックスのボックス名は「ＢＯＸ１」であり、属性情報は「原稿データの蓄積あり」である。ボックス番号「２８」の原稿蓄積ボックスのボックス名は「ＢＯＸ２８」であり、属性情報は「原稿データの蓄積なし」である。ボックス番号「２９」の原稿蓄積ボックスのボックス名は「ＢＯＸ２９」であり、属性情報は「原稿データの蓄積なし」である。また、ボックス番号「３０」の原稿蓄積ボックスのボックス名は「ＢＯＸ３０」であり、属性情報は「原稿データの蓄積なし」である。
【００８６】
即ち、本実施の形態では、ボックス番号「１」〜「２７」の原稿蓄積ボックスの属性情報はいずれも、原稿データが蓄積された空きでない原稿蓄積ボックスであることを表す情報である。また、ボックス番号「２８」、「２９」及び「３０」の原稿蓄積ボックスの属性情報はいずれも、原稿データが蓄積されていない空きの原稿蓄積ボックスであることを表す情報である。
【００８７】
サーバ装置５’の指示送信部３９’は、属性情報受信部３８’により受信された属性情報に基づき、３０個の原稿蓄積ボックスのうち、クラウド転送用ボックスとして設定すべき原稿蓄積ボックスを決定する。具体的には、指示送信部３９’は、３０個の原稿蓄積ボックスのうち、「原稿データの蓄積なし」という属性情報を有するボックス番号「２８」の原稿蓄積ボックスを、ファクシミリ受信用のクラウド転送用ボックスとして決定する。指示送信部３９’は、３０個の原稿蓄積ボックスのうち、「原稿データの蓄積なし」という属性情報を有するボックス番号「２９」の原稿蓄積ボックスを、第１のクラウドサービス用且つスキャン用のクラウド転送用ボックスとして決定する。また、指示送信部３９’は、３０個の原稿蓄積ボックスのうち、「原稿データの蓄積なし」という属性情報を有するボックス番号「３０」の原稿蓄積ボックスを、第２のクラウドサービス用且つスキャン用のクラウド転送用ボックスとして決定する。
【００８８】
このように決定した後に、指示送信部３９’は、ボックス番号「２８」、「２９」及び「３０」の原稿蓄積ボックスをそれぞれクラウド転送用ボックスとして設定する旨の指示を通信端末装置４’に送信する。同時に、指示送信部３９’は、ボックス番号「２８」の原稿蓄積ボックスのボックス名を「ＢＯＸ２８」から「ＲＸ（Ｃｌｏｕｄ  Ｓｅｒｖｉｃｅ  １，２）」に変更する旨の指示を通信端末装置４’に送信する。また、指示送信部３９’は、ボックス番号「２９」の原稿蓄積ボックスのボックス名を「ＢＯＸ２９」から「ＳＣＡＮ（Ｃｌｏｕｄ  Ｓｅｒｖｉｃｅ  １）」に変更する旨の指示を通信端末装置４’に送信する。さらに、指示送信部３０’は、ボックス番号「３０」の原稿蓄積ボックスのボックス名を「ＢＯＸ３０」から「ＳＣＡＮ（Ｃｌｏｕｄ  Ｓｅｒｖｉｃｅ  ２）」に変更する旨の指示を通信端末装置４’に送信する。
【００８９】
通信端末装置４’の設定部３３’は、指示受信部３２’により受信された指示に基づき、ボックス番号「２８」をファクシミリ受信用のクラウド転送用ボックスとして設定する。また、設定部３３’は、ボックス番号「２９」の原稿蓄積ボックスを第１のクラウドサービス用且つスキャン用のクラウド転送用ボックスとして設定する。さらに、設定部３３’は、ボックス番号「３０」の原稿蓄積ボックスを第２のクラウドサービス用且つスキャン用のクラウド転送用ボックスとして設定する。
【００９０】
同時に、設定部３３’は、ボックス番号「２８」の原稿蓄積ボックスのボックス名を「ＢＯＸ２８」から「ＲＸ（Ｃｌｏｕｄ  Ｓｅｒｖｉｃｅ  １，２）」に変更する。また、設定部３３’は、ボックス番号「２９」の原稿蓄積ボックスのボックス名を「ＢＯＸ２９」から「ＳＣＡＮ（Ｃｌｏｕｄ  Ｓｅｒｖｉｃｅ  １）」に変更し、ボックス番号「３０」の原稿蓄積ボックスのボックス名を「ＢＯＸ３０」から「ＳＣＡＮ（Ｃｌｏｕｄ  Ｓｅｒｖｉｃｅ  ２）」に変更する。ボックス番号「２８」、「２９」及び「３０」の原稿蓄積ボックスのボックス名は、図１２に示すように変更される。
【００９１】
次に、スキャナ２１（図２参照）により生成された原稿データを第１のクラウドサービス１０ａに転送する流れについて説明する。まず、ユーザは、図１３に示すように、操作パネル１９（図２参照）を操作して、スキャン用のクラウド転送用ボックスとして設定されたボックス番号「２９」の原稿蓄積ボックスを選択した後に、スキャナ２１（読取部２８）に原稿を読み取らせる。読取部２８により生成された原稿データは、選択されたボックス番号「２９」の原稿蓄積ボックスに蓄積される。その後、上記実施の形態１で説明したＳ３４〜Ｓ３９と同様の処理が行われる。これにより、上述と同様にして、ボックス番号「２９」の原稿蓄積ボックスに蓄積された原稿データは、ルータ６及びインターネット１１を介して第１のクラウドサービス１０ａに転送される。
【００９２】
なお、読取部２８により生成された原稿データを第２のクラウドサービス１０ｂに転送する場合には、ユーザは、操作パネル１９を操作して、スキャン用のクラウド転送用ボックスとして設定されたボックス番号「３０」の原稿蓄積ボックスを選択すればよい。
【００９３】
また、ファクシミリ受信した原稿データを第１のクラウドサービス１０ａに転送する流れについて説明する。なお、選択部５０により、原稿データの転送先が第１のクラウドサービス１０ａに設定されている場合について説明する。まず、ユーザは、操作パネル１９を操作することにより、通信端末装置４’の転送許可部３４が原稿データの転送を許可するように設定する。相手通信端末装置９からの原稿が通信端末装置４’のファクシミリ受信部２９にてファクシミリ受信された際には、原稿データは、ファクシミリ受信用のクラウド転送用ボックスとして設定されたボックス番号「２８」の原稿蓄積用ボックスに蓄積される。その後、上述したＳ３４〜Ｓ３９と同様の処理が行われる。これにより、上述と同様にして、ボックス番号「２８」の原稿蓄積ボックスに蓄積された原稿データは、ルータ６及びインターネット１１を介して第１のクラウドサービス１０ａに転送される。
【００９４】
従って、上記実施の形態１と同様に、通信端末装置４’とサーバ装置５’とが相互に接続された際に、原稿蓄積ボックスがクラウド転送用ボックスとして自動的に設定されるので、ユーザが煩雑な設定作業を行う必要がなく、利便性を高めることができる。また、通信端末装置４’に搭載された既存の原稿蓄積ボックスをクラウド転送用ボックスとして利用することができ、原稿蓄積ボックスの汎用性を高めることができる。
【００９５】
なお、本実施の形態では、空きの原稿蓄積ボックスが３つある場合について説明した。例えば空きの原稿蓄積ボックスが４つ以上ある場合には、サーバ装置５’の指示送信部３９’は、最初に見つけた３つの空きの原稿蓄積ボックスをクラウド転送用ボックスとして設定するように指示することができる。
【００９６】
また、本実施の形態では、サーバ装置５’の選択部５０は、原稿データの転送先として第１のクラウドサービス１０ａ及び第２のクラウドサービス１０ｂのいずれかを選択したが、第１のクラウドサービス１０ａ及び第２のクラウドサービス１０ｂの両方を選択するように構成することもできる。この場合には、原稿データは、第１のクラウドサービス１０ａ及び第２のクラウドサービス１０ｂの両方に転送される。
【００９７】
以上、本発明の通信システム、通信端末装置、サーバ装置及びクラウド転送用ボックスの設定方法について、実施の形態１及び２に基づいて説明したが、本発明は、これら実施の形態１及び２に限定されるものではない。これらの実施の形態に対して当業者が思い付く変形を施して得られる形態、及び、これらの実施の形態における構成要素を任意に組み合わせて実現される別の形態も本発明に含まれる。
【００９８】
例えば、親展受信として原稿データがファクシミリ受信された場合には、原稿データをクラウドサービスに転送しないように、通信端末装置側で設定することもできる。
【００９９】
なお、原稿蓄積ボックスに関する属性情報が予め設定されていない場合には、複数個の原稿蓄積ボックスのうち、任意の原稿蓄積ボックスをクラウド設定用ボックスとして強制的に割り当てることもできる。
【産業上の利用可能性】
【０１００】
本発明は、通信端末装置とサーバ装置とを相互に接続する際の設定を容易に行うことができる通信システム、通信端末装置、サーバ装置及びクラウド転送用ボックスの設定方法として利用することができる。
【符号の説明】
【０１０１】
１，１’  通信システム
４，４’  通信端末装置
５，５’  サーバ装置
９  相手通信端末装置
１０  クラウドサービス
１０ａ  第１のクラウドサービス
１０ｂ  第２のクラウドサービス
１１  インターネット
２８  読取部
２９  ファクシミリ受信部
３０，３７  検出部
３１，３１’  属性情報送信部
３３，３３’  設定部
３４  転送許可部
３９，３９’  指示送信部
４０，４０’  転送部
５０  選択部
【図１】
0005783001.tif 000002
【図２】
0005783001.tif 000003
【図３】
0005783001.tif 000004
【図４】
0005783001.tif 000005
【図５】
0005783001.tif 000006
【図６】
0005783001.tif 000007
【図７】
0005783001.tif 000008
【図８】
0005783001.tif 000009
【図９】
0005783001.tif 000010
【図１０】
0005783001.tif 000011
【図１１】
0005783001.tif 000012
【図１２】
0005783001.tif 000013
【図１３】
0005783001.tif 000014